(57)【要約】【課題】近年あらゆるビジネスの事務作業にパソコンが導入されたことで机上はこれらの機器類に占領され、作業中に必要な参考書類などを置いておくスペースの確保も困難になってきた。現在机上に置かれているデスクトップ型またはノート型パソコンなどの占める面積は、これらの機器が導入される以前には空いていたスペースの殆どを奪う結果となり、参考書類などを広げながらのパソコン操作は手狭になった机上スペースでは侭ならない。【解決手段】パソコン導入でペーパーレス化と言われているが、実際には印刷物やコピー又はプリントアウト或いは手書きされた紙の資料などを参照しながらのパソコン作業は日常頻繁におこなわれる。そこで紙の資料を広げる机上スペース不足の問題点を解決するため、パソコンのディスプレイ・モニタ上部空間に装着使用できるようにした書類立てを、軽量素材で形成して提供する。【選択図】図４
2011040020.tif 000002
【特許請求の範囲】
【請求項１】
小片柔軟板材上側に書類を保持する形状を備え、下側には２等辺３角形状の切り欠きを設けて、斜辺をステップ形状にしておく事で、様々な厚みの異なるコンピューターディスプレイ・モニタの上端を上方向から掴み押さえる機能を持たせた部材を、軽量板材を矩形切断したボード下端部に取りつけたものを、コンピューターディスプレイ・モニタ頭上部分に装着して、保持した書類を表示するようにした、コンピューターディスプレイ・モニタ用書類立て。
【請求項２】
上側に書類を保持する形状を備え、下側にディスプレイ・モニタ上端を挟む形状を持つ柔軟矩形板材で形成した部材を、軽量板材を矩形切断したボード下端に設けた穴に挿し込み、スライド調節できるようにしておく事で、様々な厚みの異なるコンピューターディスプレイ・モニタの上端を挟み押さえるようにしたものを、コンピューターディスプレイ・モニタ頭上部分に装着して、保持した書類を表示するようにした、コンピューターディスプレイ・モニタ用書類立て。
【発明の詳細な説明】
【技術分野】
【０００１】  本発明はコンピューターディスプレイ・モニタに装着して使用する書類立てに関する。
【背景技術】
【０００２】  コンピューターディスプレイ・モニタとは無関係に単独で使用する書類立ては既に存在する。
【発明の開示】
【発明が解決しようとする課題】
【０００３】  近年あらゆるビジネスの事務作業にパソコンが導入されたことで机上はこれらの機器類に占領され、作業中に必要な参考書類などを置いておくスペースの確保も困難になってきた。現在机上に置かれているデスクトップ型またはノート型パソコンなどの占める面積は、これらの機器が導入される以前には空いていたスペースの殆どを奪う結果となり、参考書類などを広げながらのパソコン操作は手狭になった机上スペースでは侭ならない。
【課題を解決するための手段】
【０００４】  パソコン導入でペーパーレス化と言われているが、実際には印刷物やコピー又はプリントアウト或いは手書きされた紙の資料などを参照しながらのパソコン作業は日常頻繁におこなわれる。そこで紙の資料を広げる机上スペース不足の問題点を解決するため、パソコンのディスプレイ・モニタ上部空間に装着使用できるようにした書類立てを、軽量素材で形成して提供する。
【発明の効果】
【０００５】  ＩＴ化が進んできた現在でも印刷した紙媒体は非常に有用であり、パソコン操作中もこれらの紙媒体情報を参照しながらの作業は頻繁に行われる。本発明はパソコンディスプレイ・モニタの空いている上部空間に装着できる書類立てを構成することで手狭になった机上面に書類を広げることなく書類の表示を可能にする。顔や首の動き視線移動など最小になるため疲労も抑えられて快適なパソコン作業環境を提供する。機種ごとに厚みの異なるパソコンディスプレイ・モニタにも簡単確実に装着できる構造を備えた。書類立て部分には、写真、図面、文書など表示しておくことが可能になり、プレゼンテーションなどにも効果的に活用できる。製品は折りたたみ式又はユーザー組み立て構造にできるため薄形になり、在庫スペースや運搬など効率的になる。生産工場での組み立て作業など一切無く、プレスで抜かれた２種類の部材を袋づめするだけで製品は完成できるので商品化は容易であり、グローバル販売可能な新商品を短期間に提供できる。
【発明を実施するための最良の形態】
【０００６】  本発明書類立ての基板になるボード１の材質は、軽量で強度を備えた紙又はプラスチック段ボールが適している。特にプラスチック段ボールは軽量ながら、耐水、耐油、耐薬品性があり、裏表ライナ、芯とも耐水なので使用中の汚れは洗剤で水洗いできる。
ボード１の外形サイズおよび２個のクリップ３の間隔は、Ａ４サイズ紙を縦、横方向に保持できる程度の大きさが適切であり、ボード１をディスプレイ・モニタに固定して書類を保持する為の、クリップ３、クリップ１１はシリコーンゴム、軟質プラスチックなどを使用する。
【実施例１】
【０００７】  本発明１実施例のノート型パソコン５に対応する書類立てを図１〜図５に示す。前項で述べたとおり、ボード１にはプラスチック段ボール材、クリップ３はシリコーンゴムを使用して、何れも板素材をプレス型で打ち抜き形成する。クリップ３には伸縮用に丸穴をあけておき、ボード１に設けた２ヶ所のクリップ取り付け穴２への挿しこみ取りつけを容易にする。クリップ３は柔軟材質により伸縮するため、様々な厚みの異なったディスプレイ・モニタに応じてクリップ３に設けてあるステップ形状６が４の厚みを自動選択グリップして、ボード１を固定する。図５は、厚みのある旧型パソコンなどのディスプレイ・モニタにも伸縮性を持つクリップ３の形状によりグリップする状態を示す。図４内に示す鉄製ワイヤー８は、プラスチック段ボール芯穴に予め挿入接着しておくことにより、２個のクリップ３の、書類保持部分の間隔に満たない小さなメモ、名刺、ハガキ、写真などの書類７をマグネット９を使って留める為のもの。図９、図１０はボード１に紙段ボール素材を使用するもので、クリップ１３とクリップ押さえ１４など全ての部分を１枚の段ボール紙で構成したもの。廉価版として製品化でき、中心を半分に折り曲げる事で商品は小型化する。図１１、図１３、図１４は製品バリエーション例。図１５、図１６は商品外装例。図１２は、本発明書類立てを通常使用状態から１８０度回転させてディスプレイ・モニタ裏側に仮収納した状態を示す。
【実施例２】
【０００８】  デスクトップ型パソコン・モニタ１０に使用する本発明書類立ての１実施例を図６、図７、図８に示す。本実施例ではクリップ１１をモニタ１０の厚みにスライドして合わせる。ボード１に開けるクリップ１１を入れる２ヶ所の角穴サイズを、クリップ１１と同等または僅かに小さくする事で摺動摩擦が得られて希望位置に固定できる。本実施例では図８で示すように通常の書類立て同様、机上面１２に置けば単独使用できる。
【図面の簡単な説明】
【０００９】
【図１】  クリップ３取りつけ前のボード１を前方から見た図
【図２】  クリップ３をボード１に挿し込み取りつけた状態を側面から見た図
【図３】  組み立て済みボード１をノート型パソコン５に装着した状態とクリップ３部分拡大図
【図４】  組み立て済みボード１とノート型パソコン５及び各種書類７、マグネット９などの使用図
【図５】  厚型ディスプレイ・モニタへの伸縮対応するクリップ３の働きを示した側面図
【図６】  実施例２書類立てをモニタ１０の厚みにあわせてクリップ１１のスライド調節機能側面図
【図７】  実施例２の書類立てをデスクトップ型パソコンディスプレイ・モニタ１０に装着状態図
【図８】  実施例２の書類立てを机上面１２に置いて単独で使用した状態図
【図９】  ノート型パソコンディスプレイ・モニタ用書類立てボード１に紙製段ボール使用構造図
【図１０】  ノート型パソコンディスプレイ・モニタ用書類立てボード１に紙製段ボール使用完成図
【図１１】  書類立てボード面をくり抜いてデザインした製品バリエーション図
【図１２】  使用状態のボードを１８０度回転させてディスプレイ・モニタ裏側に仮収納した状態図
【図１３】  書類立てボード面をくり抜いてデザインした製品バリエーション図
【図１４】  書類立てボード面をくり抜いてデザインした製品バリエーション図
【図１５】  商品の外装袋例図
【図１６】  商品の外装箱例図
【符号の説明】
【００１０】１  ボード
２  クリップ取りつけ穴
３  クリップ
４  ディスプレイ・モニタ
５  ノート型パソコン
６  クリップ３に設けてあるステップ形状
７  各種書類
８  鉄製ワイヤー
９  マグネット
１０  デスクトップ型パソコン・モニタ
１１  クリップ（スライド調節型）
１２  机上面
１３  紙段ボール使用書類立てのクリップ部分
１４  紙段ボール使用書類立てのクリップ押さえ
１５  商品外装袋
１６  商品外装箱
【図１】
2011040020.tif 000003
【図２】
2011040020.tif 000004
【図３】
2011040020.tif 000005
【図４】
2011040020.tif 000006
【図５】
2011040020.tif 000007
【図６】
2011040020.tif 000008
【図７】
2011040020.tif 000009
【図８】
2011040020.tif 000010
【図９】
2011040020.tif 000011
【図１０】
2011040020.tif 000012
【図１１】
2011040020.tif 000013
【図１２】
2011040020.tif 000014
【図１３】
2011040020.tif 000015
【図１４】
2011040020.tif 000016
【図１５】
2011040020.tif 000017
【図１６】
2011040020.tif 000018